(57)【特許請求の範囲】
【請求項１】
内部を送風機の吸引側へ連通させて負圧室とした箱形のフレームと、そのフレームに支持された通気性のコンベアベルトとを有し、前記負圧室を構成する側板の一側に吸引口を開口させ、その吸引口にコンベアベルトを支承するための複数の支持棒が吸引口を横断して設けられるとともに、その吸引口を設けた側板の内面に、その吸引口の上側と下側に案内ローラを設ける一方、吸引口を設けた側板に対向する面の側板の外方に引出しローラを設け、それら案内ローラと引出しローラとの間にコンベアベルトを捲回し、上側ローラで後方へ曲げられて、引出しローラによって前記負圧室の外方へ引き出し、その引出されたコンベアベルトの裏面を指向する圧気の吹出し口を設け、その吹出し口の先方に異物受けを設けてなる選別コンベア装置であって、供給コンベアで異物の混在する被選別食品を前記吸引口近傍まで供給し、前記吸引口に嵩比重の小さい異物を吸引させ、前記吸引口近傍と前記箱形のフレームの下部に設けた移送ベルトで、前記供給コンベアから前記移送ベルト上に移動した被選別食品を移送することを特徴とする前記選別コンベア装置。
【発明の詳細な説明】
【０００１】
【産業上の利用分野】
この発明は、シラス魚や切り干し大根の材料のように、小さく軟質で水分を多く含んだ食品を搬送するのに好適なコンベアに関するもので、特に、コンベアベルトに付着したそれら被搬送食品を容易に分離させるための装置に関する。
【０００２】
【従来の技術】
従来、出願人は先に、上下方向へ移動する通気性のコンベアベルトによって構成される吸着面を設け、その吸着面の背面に排風機へ通じる負圧室の吸引口を開口させることによって、煮干しを吸着面へ落下させ、重量の大きい魚体を自重で下方へ落下させ、海老のヒゲ、海草の茎、時には人間の髪の毛など夾雑物をコンベアベルトによって上方へ移送して両者を分離する装置を提案した（特願平９−２５２８６９号）。
【０００３】
【発明が解決しようとする課題】
しかしながら、そこではコンベアベルトの戻り部が負圧室内に配備されていたため、シラス魚と、分離されコンベアベルトに付着してくる異物（夾雑物）が負圧室内に落下するので、それを負圧室の内部から排除するのに機械の停止状態で行わねばならず、設備の稼働率を低下させる不具合があった。
また、この種の設備では、時間当たりの処理量を増すためには、吸引口を大きくして広い面積で異物を吸引するのが好ましいが、コンベアベルトが吸引口の前面を通過する際、吸引口へ吸引されて変形するため、従来はコンベアベルトの材質を剛性の高いもとすることで対処してきたが、それでも吸引口を大きくするのには限度があった。
さらに、被選別物が煮干し以外の場合や、煮干しの場合であっても、その魚種やそこに含まれる異物の形状、比重の変化に応じて、コンベアベルトの吸引力を適宜に調節する必要が生じた。
【０００４】
【課題を解決するための手段】
上記した課題は、内部を送風機の吸引側へ連通させた負圧室を備えた箱形のフレームと、そのフレームに支持された通気性のコンベアベルトとを有し、前記負圧室の一側に吸引口を開口させ、その吸引口を設けた側板の内面に、その吸引口の上側と下側に案内ローラを設ける一方、吸引口を設けた側板に対向する面の側板の外方に引出しローラを設け、それら案内ローラと引出しローラとの間にコンベアベルトを捲回するとともに、前記負圧室の外方へ引出されたコンベアベルトの裏面を指向する圧気の吹出し口を設け、その吹出し口の先方に異物受けを設けることによって解決される。
そこでは、前記吸引口にはコンベアベルトを支承するための複数の支持棒が、吸引口を横断して設けることが好ましい。
また、前記負圧室には室内の空気を室外へ排出する排風手段を設けるとともに、その排風力を大小に調節するための調節手段が設けられることが好ましい。
さらに、前記吸着面の背面にはコンベアベルトを面方向へ加振する加振手段を設けることが好ましい。
【０００５】
【作用】
〔請求項１〕箱形のフレームに設けられた吸引口は、上側と下側の案内ローラによって支持されたコンベアベルトによって覆われる。その結果、吸引口へ供給された被選別食品には、コンベアベルトを通じて負圧室内の負圧が作用する。被選別食品のうち、嵩比重の大きい食品（重いもの）は前記負圧の作用にも拘わらず自重で下方へ落下し、嵩比重の小さい異物（軽いもの）は前記負圧の作用を受けてコンベアベルトの外面に吸着される。その結果、食品と異物が分離される。コンベアベルトは異物を付着させたまゝ上側のローラで後方へ曲げられ、引出しローラによって負圧室外に引きだされると、異物に対する負圧の作用が消滅する。その後、異物は吹出し口から噴出する気流によってコンベアベルトから吹き飛ばされ、先方の異物受けで受けられる。
〔請求項２〕コンベアベルトは前面に大気圧を、背面に負圧の作用を受けるが、複数の支持棒によって支承され、吸引口とコンベアベルトとの隙間は最小に保たれる。
【０００６】
【発明の実施の形態】
図１中、１０は本願発明の実施である選別コンベア装置である。選別コンベア装置１０は供給コンベア１１、選別コンベア２０、および取出しコンベア１２などを包含する。供給コンベア１１は被選別食品である釜上げしたばかりの煮干しを製品ｍと異物ｃとに分離する選別コンベア２０へ移送する。取出しコンベア１２は異物ｃを取り除いた食品ｍを取り出すために設けられる。前記供給コンベア１１と取出しコンベア１２は直径０．５ｍｍ程度の細い合成樹脂線からなる網状の移送ベルト１１ａ、１２ａを有し、選別ベルト２１も同様のベルトを有する。それら移送ベルト１１ａ、１２ａ、および選別ベルト２１は表裏間に通気性を有している。
【０００７】
前記選別コンベア２０は図２で示すように、箱状のフレーム３１の一部が負圧室３０をなす略立方体形の箱状とされ、前脚１３と後脚１４とによって前記取出しコンベア１２のフレーム１２ｂに支持されており、被選別食品ｆである煮干しに混ざっている小えびやえびの髭など、被選別食品ｆの品質を低下させる異物ｃを分離し除去するため設けられている。Ｇは前記移送ベルト１２ａを駆動するための減速機付き電動機である。
【０００８】
前記箱状のフレーム３１は前記供給コンベア１１と対面する前側に吸引口３２を有すると共に、両側面には排風口３３、３３が設けられている。その排風口３３はピボット軸Ｐによってフレーム３１へ開閉可能に支持された蓋体３４を有し、蓋体３４には送風機３５が取り付けられている。よって、送風機３５が運転されると箱状のフレーム３１内の空気が排出され内部が負圧に保たれる。また、蓋体３４を開くことによって内部を清掃することができる。
【０００９】
なお、前記箱状のフレーム３１は前脚１３との間に連結杆１８を介在させることによって図５で示すように、前記吸引口３２が斜め上方を向く後倒しの状態にすることができ、あるいは後脚１４との間に連結杆１８を介在させることによって図６で示すように前倒しの状態にすることができる。
【００１０】
１５は前記供給コンベア１１の後端部に設けた第１空気ノズルであり、１６は取出しコンベア１２の前端部に設けた第２空気ノズルである。両空気ノズル１５、１６は移送ベルト１１ａ、１２ａの裏面に向けて開口し、それを通して前記選別コンベア２０に設けた吸引口３２を指向して開いている。Ｆは空気ダクトＤを介して両空気ノズル１５、１６に通じている送風機である。１７は選別コンベア２０の側方を覆って設けられる飛散防止ネットである。
【００１１】
以上のように、供給コンベア１１によって送られてくる煮干しｆが、その供給コンベア１１の後端部から取出しコンベア１２の上へ落下する途中で、第１空気ノズル１５から吹き出す空気によって選別コンベア２０へ向けて吹き飛ばされる。また、取出しコンベア１２の前端部に落下した残部が、取出しコンベア１２に設けられた第２空気ノズル１６によって、上方にある選別コンベア２０の吸引口３２へ向けて吹き上げられる。
【００１２】
なお、前記送風機３５には必要に応じて排風力を大小に調節するための調節手段（図示してない）が設けられる。調節手段は、例えば、送風機３５を駆動するためのインバータ電源として構成され、送風機３５を駆動する交流電流の周波数を制御することによって、その回転速度を大小に変化させて、負圧室３０内の圧力を調節する構成となっている。
【００１３】
前記選別コンベア２０を構成する選別ベルト２１は、前記吸引口３２の裏面に位置して上下に設けられた２個と、箱状のフレーム３１の後側に配置された２個の案内ローラ３７と、引出しローラ３８との間に捲回されている。引出しローラ３８は駆動チェーン３９を介して減速機付きの電動機４１によって駆動される。なお、前記電動機４１は必要に応じてインバータを電源として駆動され、その回転速度を変更可能に構成される。
【００１４】
選別コンベア２０には、前記引出しローラ３８の近傍に位置して選別ベルト２１の裏面を指向する圧気の吹出し口２２を設け、その先方に上面が開口した箱状の異物受け２３が設けられている。よって、選別ベルト２１の外面に付着して来た異物ｃが吹出し口２２から吹き出す圧気によって吹き飛ばされ除去される。吹き飛ばされた異物は先方の異物受け２３の中に入り、周囲に飛散しないようにしてある。
【００１５】
前記吸引口３２の内側には上下方向に延びる多数の支持棒４２、４２が設けられ、支持棒４２は前記上下の案内ローラ３７、３７の間を移動する選別ベルト２１が箱状のフレーム３１中の負圧の作用で、内側へ引き込まれるのを防止している。また、支持棒４２のすぐ内側には横軸４５が回転可能に横架されており、その横軸４５が回転すると、横軸４５に取り付けた短冊状の板材からなる叩き板４６が回転し、前記支持棒４２の内面を叩いて、支持棒が支持する選別ベルト２１を面方向へ加振する。よって、吹き付けられた煮干しｆの一部によって選別ベルト２１が目詰まりしても、振動によって排除される。
【００１６】
以上のように構成された実施形態の選別コンベア装置１０が運転され、供給コンベア１１によって被選別食品である煮干しｆが移送されると、煮干しｆは第１空気ノズル１５、第２空気ノズル１６によって負圧室３０の吸引口３２へ向けて吹き飛ばされ、吸引口３２の内面に配された選別コンベア２０の選別ベルト２１の外面に吸引される。
【００１７】
その選別ベルト２１の外面には、網目を通して作用する負圧室３０内の負圧によって、嵩比重の小さい（軽い）異物が吸着され、大きい（重い）煮干しｆの魚体が自重で下方の取出しコンベア１２上へ落下する。煮干しｆの魚体が落下する際、網目に吸着されている異物を掻き落とすことがあるので、被選別食品の種類によって、負圧室３０内の負圧の大きさを調節したり、箱状のフレーム３１の傾き角度を変えて調節することが必要であり、かつ、可能に構成されている。
【００１８】
【発明の効果】
この発明によれば、コンベアベルトの表面に吸着された異物は、コンベアベルトと共に負圧室の外部に引き出され、負圧室の外部において吹出し口から吹き出す圧気によって排除されるから、被選別食品から分離された異物の除去や清掃など、保守作業が容易である。また、コンベアベルトは吸引口に面した部分が負圧室内の負圧を受けるが、背面を支持棒によって支持されているので、負圧室内へ引き込まれるのが防止される。などの効果がある。
【図面の簡単な説明】
【図１】本願発明の一実施形態である選別コンベア装置の側面図である。
【図２】その要部の拡大断面図である。
【図３】一部を破断して示す図２の平面図である。
【図４】図３中の矢視ＩＶ図である。
【図５】作動中の姿勢の一例を示す図２相当の断面図である。
【図６】作動中の姿勢の他の例を示す図２相当の断面図である。
【符号の説明】
１０・・・・選別コンベア装置
１１・・・・供給コンベア
１１ａ・・・移送ベルト
１２・・・・取出しコンベア
１２ａ・・・移送ベルト
１２ｂ・・・フレーム
１３・・・・前脚
１４・・・・後脚
１５・・・・第１空気ノズル
１６・・・・第２空気ノズル
１７・・・・飛散防止ネット
１８・・・・連結杆
２０・・・・選別コンベア
２１・・・・選別ベルト
２２・・・・吹出し口
２３・・・・異物受け
３０・・・・負圧室
３１・・・・箱状のフレーム
３２・・・・吸引口
３３・・・・排風口
３４・・・・蓋体
３５・・・・送風機
３７・・・・案内ローラ
３８・・・・引出しローラ
３９・・・・駆動チェーン
４１・・・・減速機付きの電動機
４２・・・・支持棒
４５・・・・横軸
４６・・・・叩き板
Ｄ・・・・空気ダクト
Ｆ・・・・送風機
Ｇ・・・・減速機付き電動機
Ｐ・・・・ピボット軸
ｃ・・・・異物
ｆ・・・・被選別食品（煮干し）
ｍ・・・・製品
【図１】
0003975021.tif 000002
【図２】
0003975021.tif 000003
【図３】
0003975021.tif 000004
【図４】
0003975021.tif 000005
【図５】
0003975021.tif 000006
【図６】
0003975021.tif 000007